(57)【要約】      （修正有）【課題】操作つまみの基部とつまみ部とを別部品として構成することができ、つまみ部の強度を高めやすい構成を提供する。【解決手段】ガスコンロにおいて、操作つまみ２１は、基部８１、つまみ部８２、連結部材、を有する。基部８１につまみ部８２が固定された固定状態において、基部８１に形成された嵌合凸部がつまみ部８２に形成された外周壁部８６及び筒状部の間の領域に嵌り込む構成をなし、嵌合凸部に形成された一対の対向壁部が、つまみ部８２の一対の把持面部８６Ａ，８６Ｂのそれぞれの内壁面と対向し且つそれぞれの内壁面に沿って配置される構成をなす。【選択図】図７
2019152397.tif 000002
【特許請求の範囲】
【請求項１】
ガスバーナと、
上端側が開放した構成をなし、前記ガスバーナを収容する筐体部と、
前記筐体部の上端側を閉塞するように取り付けられるトッププレートと、
回転可能に構成された操作軸を有し、前記筐体部内に収容される燃料供給装置と、
前記操作軸の先端部に固定されるとともに、前記筐体部及び前記トッププレートによって囲まれた収容空間の外側に少なくとも一部が配置される操作つまみと、
を備え、
前記操作つまみは、
前記操作軸と嵌合する挿入孔が形成され、前記操作軸に固定される基部と、
前記基部に対して前記収容空間側とは反対側から固定されるつまみ部と、
前記基部と前記つまみ部とを連結する連結部材と、
を有し、
前記つまみ部は、
前記操作軸の方向と直交する所定方向に沿って長手状に構成されるとともに前記基部の表面から離れた位置で前記基部と対向して配置される天面部と、
前記天面部の幅方向両側にそれぞれ連結されるとともに前記天面部の長手方向に沿って配置される且つ前記天面部から前記基部側に延びた構成をなす一対の把持面部と、前記天面部の長手方向両側にそれぞれ連結されるとともに一対の前記把持面部の長手方向両側をそれぞれ連結する一対の連結壁部と、を含み、前記天面部とは反対側が開放した構成をなす外周壁部と、
前記外周壁部内において前記天面部の裏面側から前記基部側に突出した構成をなし、内部に前記連結部材が挿入される筒状部と、
を具備し、
前記基部は、
前記外周壁部の端部が当接する当接面部と、
前記操作軸の方向と直交する平面方向において前記当接面部の内側の領域で前記当接面部よりも突出し、前記つまみ部における前記外周壁部と前記筒状部との間の領域に嵌り込む嵌合凸部と、
前記平面方向において前記当接面部の内側の領域で凹状に形成され、前記筒状部の先端部が嵌り込む構成をなし、自身の底部に前記連結部材が挿入される孔部が形成された凹状部と、
を具備し、
前記平面方向において前記当接面部の内側の領域で前記挿入孔が形成され、
前記凹状部の底部と前記筒状部とが前記連結部材によって連結され、
前記嵌合凸部は、前記基部に前記つまみ部が固定された固定状態において、一対の前記把持面部のそれぞれの内壁面と対向し且つそれぞれの内壁面に沿って配置される一対の対向壁部を含む
ガスコンロ。
【請求項２】
前記基部に前記つまみ部が固定された固定状態において、前記対向壁部の一部が前記筒状部と前記把持面部との間に配置される
請求項１に記載のガスコンロ。
【請求項３】
前記つまみ部は、長手方向中央部における一対の前記把持面部の幅が、長手方向両端部における一対の前記把持面部の幅よりも小さくなる括れ形状である
請求項１又は請求項２に記載のガスコンロ。
【請求項４】
前記基部は、
板状に構成され、板厚方向一方側の第１板面が露出した構成をなし、板厚方向他方側の第２板面が前記収容空間側に配置される板状部と、
前記板状部と一体的に構成されるとともに前記第１板面から盛り上がった構成をなし、前記天面部と対向しつつ前記天面部の長手方向に沿って長手状に配置される盛り上がり部と、
前記板状部と一体的に構成され、前記第２板面側から突出した構成をなす突出部と、
を具備し、
前記挿入孔が、前記突出部と前記盛り上がり部とに跨って形成され、
前記盛り上がり部は、
前記板状部の前記第１板面から湾曲しつつ立ち上がるように一対の立ち上がり部が形成され、
一対の前記立ち上がり部のそれぞれの端部に前記当接面部が設けられており、
前記基部に前記つまみ部が固定された固定状態において、前記当接面部に当接する一対の前記把持面部の各表面と、一対の前記立ち上がり部の各表面とが、面一となるように連続している
請求項１から請求項３のいずれか一項に記載のガスコンロ。
【請求項５】
前記嵌合凸部は、前記筒状部の周囲において前記盛り上がり部の幅方向に延びる連結凸部を有し、
一対の前記対向壁部は、前記連結凸部の両端にそれぞれ連結される一対の対向凸部を有し、
各々の前記対向凸部は、前記盛り上がり部の長手方向において前記連結凸部の一方側及び他方側にそれぞれ延びた状態で、一対の前記把持面部のそれぞれの内壁面と対向し且つそれぞれの内壁面に沿って配置される
請求項４に記載のガスコンロ。
【発明の詳細な説明】
【技術分野】
【０００１】
本発明は、ガスコンロに関するものである。
【背景技術】
【０００２】
従来から提供されるガスコンロは、特許文献１で開示されるガスコンロのように、操作つまみによって火力調整操作を行うものが多い。この種のガスコンロで用いられる操作つまみは、操作軸に固定される基部（例えば円板状部分）から細長の突出部が突出した形態のものが一般的であり、使用者が火力調整操作等を行う場合、この突出部を指でつまみながら所望の方向の回転させるように操作を行う。
【先行技術文献】
【特許文献】
【０００３】
【特許文献１】特開２０１７−９２４２号公報
【発明の概要】
【発明が解決しようとする課題】
【０００４】
従来のガスコンロでは、操作軸に固定される基部とつまみ部とが一体的に形成されていたが、美観向上やカラーバリエーション充実などを図るために、基部とつまみ部とを別部品として構成することが望まれる場合もある。しかし、このように別部品として構成した場合、つまみ部が撓みやすくなり、長期使用に伴う破損等の不具合が生じやすくなる虞がある。
【０００５】
本発明は、上述した課題を解決するためになされたものであり、操作つまみの基部とつまみ部とを別部品として構成することができ、つまみ部の強度を高めやすい構成を提供することを目的とするものである。
【課題を解決するための手段】
【０００６】
本発明の一つであるガスコンロは、
ガスバーナと、
上端側が開放した構成をなし、前記ガスバーナを収容する筐体部と、
前記筐体部の上端側を閉塞するように取り付けられるトッププレートと、
回転可能に構成された操作軸を有し、前記筐体部内に収容される燃料供給装置と、
前記操作軸の先端部に固定されるとともに、前記筐体部及び前記トッププレートによって囲まれた収容空間の外側に少なくとも一部が配置される操作つまみと、
を備え、
前記操作つまみは、
前記操作軸と嵌合する挿入孔が形成され、前記操作軸に固定される基部と、
前記基部に対して前記収容空間側とは反対側から固定されるつまみ部と、
前記基部と前記つまみ部とを連結する連結部材と、
を有し、
前記つまみ部は、
前記操作軸の方向と直交する所定方向に沿って長手状に構成されるとともに前記基部の表面から離れた位置で前記基部と対向して配置される天面部と、
前記天面部の幅方向両側にそれぞれ連結されるとともに前記天面部の長手方向に沿って配置される且つ前記天面部から前記基部側に延びた構成をなす一対の把持面部と、前記天面部の長手方向両側にそれぞれ連結されるとともに一対の前記把持面部の長手方向両側をそれぞれ連結する一対の連結壁部と、を含み、前記天面部とは反対側が開放した構成をなす外周壁部と、
前記外周壁部内において前記天面部の裏面側から前記基部側に突出した構成をなし、内部に前記連結部材が挿入される筒状部と、
を具備し、
前記基部は、
前記外周壁部の端部が当接する当接面部と、
前記操作軸の方向と直交する平面方向において前記当接面部の内側の領域で前記当接面部よりも突出し、前記つまみ部における前記外周壁部と前記筒状部との間の領域に嵌り込む嵌合凸部と、
前記平面方向において前記当接面部の内側の領域で凹状に形成され、前記筒状部の先端部が嵌り込む構成をなし、自身の底部に前記連結部材が挿入される孔部が形成された凹状部と、
を具備し、
前記平面方向において前記当接面部の内側の領域で前記挿入孔が形成され、
前記凹状部の底部と前記筒状部とが前記連結部材によって連結され、
前記嵌合凸部は、前記基部に前記つまみ部が固定された固定状態において、一対の前記把持面部のそれぞれの内壁面と対向し且つそれぞれの内壁面に沿って配置される一対の対向壁部を含む。
【０００７】
このように、操作軸を回転操作し得る操作つまみが、別体として構成されるつまみ部及び基部を備えていれば、つまみ部と基部とを別々に製造すべき要請に対応することができる。
更に、基部につまみ部が固定された固定状態において、基部に形成された嵌合凸部がつまみ部に形成された外周壁部及び筒状部の間の領域に嵌り込む構成をなし、この嵌合凸部に形成された一対の対向壁部が、つまみ部の一対の把持面部のそれぞれの内壁面と対向し且つそれぞれの内壁面に沿って配置される構成をなす。このような構成であるため、使用者のつまみ操作によってつまみ部の一対の把持面部が内側に押されたとしても、一対の把持面部の内側への変位を一対の対向壁部によって規制することができる。よって、つまみ部の撓みに起因する劣化や破損等を抑えることができ、簡易な構成でつまみ部の強度を効果的に高めることができる。
しかも、嵌合凸部を外周壁部の内側に嵌り込ませた形で強度が高められるため、つまみ部と基部の境界が目立つことを抑え、美観を保持し得る補強構造となる。
【０００８】
基部につまみ部が固定された固定状態において、対向壁部の一部が筒状部と把持面部との間に配置されていてもよい。
このように、筒状部と把持面部との間にまで対向壁部が入り込んでいれば、つまみ部の撓みをより一層抑えることができ、つまみ部の強度をより一層高めることができる。
【０００９】
つまみ部は、長手方向中央部における一対の把持面部の幅が、長手方向両端部における一対の把持面部の幅よりも小さくなる括れ形状であってもよい。
このように構成されていれば、使用者が長手方向中央部をつまみやすくなり、操作つまみの回転操作を行いやすくなる。但し、このように使用者が特定の位置をつまみやすい構成であると、使用者による押圧が集中しやすくなるため、把持面部の撓み変形がより一層懸念されるが、つまみ部の強度を高めた構成となっているため、押圧集中に起因する破損や劣化を確実に抑えることができる。よって、使用者の使いやすさと、強度向上とを両立することができる。
【００１０】
基部は、板状に構成され、板厚方向一方側の第１板面が露出した構成をなし、板厚方向他方側の第２板面が収容空間側に配置される板状部と、板状部と一体的に構成されるとともに第１板面から盛り上がった構成をなし、天面部と対向しつつ天面部の長手方向に沿って長手状に配置される盛り上がり部と、板状部と一体的に構成され、第２板面側から突出した構成をなす突出部と、を具備していてもよい。そして、挿入孔が、突出部と盛り上がり部とに跨って形成されていてもよい。更に、盛り上がり部は、板状部の第１板面から湾曲しつつ立ち上がるように一対の立ち上がり部が形成されていてもよく、一対の立ち上がり部のそれぞれの端部に当接面部が設けられていてもよい。そして、基部につまみ部が固定された固定状態において、当接面部に当接する一対の把持面部の各表面と、一対の立ち上がり部の各表面とが、面一となるように連続していてもよい。
このように構成されていれば、つまみ部と基部とが別体として構成されていても、つまみ部と基部の境界付近のデザインが一体感のあるデザインとなる。よって、つまみ部と基部とを別々に製造すべき要請に応えつつ、更に美観の向上を図ることができる。
【００１１】
嵌合凸部は、前記筒状部の周囲において前記盛り上がり部の幅方向に延びる連結凸部を有していてもよい。更に、一対の前記対向壁部は、前記連結凸部の両端にそれぞれ連結される一対の対向凸部を有していてもよい。そして、各々の前記対向凸部は、前記盛り上がり部の長手方向において前記連結凸部の一方側及び他方側にそれぞれ延びた状態で、一対の前記把持面部のそれぞれの内壁面と対向し且つそれぞれの内壁面に沿って配置される構成であってもよい。
このようにすれば、連結凸部の両側において盛り上がり部の長手方向に延びるように対向凸部を長く配置することができ、より広い範囲にわたって把持面部の内側への変形を規制可能となる。しかも、一対の対向凸部の間に連結凸部が連結されるため、対向凸部の内側への変形についても強固に規制することができる。よって、把持面部が内側へ強く押されても、把持面部の内側への変形をより確実に抑えることができる。
【発明の効果】
【００１２】
本発明の一つであるガスコンロは、操作つまみの基部とつまみ部とを別部品として構成することができ、つまみ部の強度を高めやすい。しかも、美観の面でも有利になる。
【図面の簡単な説明】
【００１３】
【図１】図１は、実施例１のビルトインコンロを概略的に例示する斜視図である。
【図２】図２は、図１のビルトインコンロの平面図である。
【図３】図３は、図１のビルトインコンロにおいて、トッププレート等を取り外した状態を例示する斜視図である。
【図４】図４は、図２のＢ−Ｂ断面を概略的に示す断面概略図である。
【図５】図５は、図３からガスバーナ及び操作つまみを分解した分解斜視図である。
【図６】（Ａ）は、操作つまみを裏側から見た斜視図であり、（Ｂ）は、操作つまみを表側から見た斜視図である。
【図７】図７は、操作つまみの平面図である。
【図８】図８は、操作つまみを図６のＣ−Ｃ位置で切断して示す斜視図である。
【図９】（Ａ）は、つまみ部を裏側から見た斜視図であり、（Ｂ）は、基部を表側から見た斜視図である。
【図１０】（Ａ）は、つまみ部の平面図であり、（Ｂ）は、基部の平面図である。
【図１１】（Ａ）は、つまみ部の正面図であり、（Ｂ）は、基部の正面図である。
【図１２】（Ａ）は、つまみ部の側面図であり、（Ｂ）は、基部の側面図である。
【図１３】（Ａ）は、つまみ部の底面図であり、（Ｂ）は、基部の底面図である。
【発明を実施するための形態】
【００１４】
＜実施例１＞
以下、本発明の一例を具現化したビルトインコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。なお、ビルトインコンロ１は、ガスコンロの一例に相当する。
【００１５】
ビルトインコンロ１は、図１、図２のような外観をなし、図３のような内部構成となっている。ビルトインコンロ１は、図２で概念的に示すキッチンカウンター１００の所定の載置面１０２Ａに形成されたカウンター孔１０４を通してキッチンカウンター１００の内部に一部（後述する周壁部３２等）が収容されつつ、筐体部３０の一部（被支持部３４）がカウンター孔１０４の周囲の載置面１０２Ａに支持された状態で設置される。図１のように、ビルトインコンロ１は、板状に構成されたトッププレート２が筐体部３０に対して着脱可能に取り付けられてなる。
【００１６】
図３のように、筐体部３０は、ガスバーナ５，６などの各種部品を収容する収容空間の周囲に配置される周壁部３２と、周壁部３２の上端部において外側へと環状に張り出すように形成された被支持部３４と、を備え、上端部３０Ａ側が開放した箱状のケース体として構成されている。周壁部３２は、前後左右のそれぞれに壁部が配置され、これら壁部によって囲まれた内部空間にガスバーナ５，６などの各種部品を収容する構成をなす。
【００１７】
図１、図２で示すトッププレート２は、板状に構成された部品であり、図３等で示す筐体部３０の上端部３０Ａを覆うことにより筐体部３０の上端側に形成された開口部を閉塞する形で、筐体部３０に対して上方側から組み付けられる。トッププレート２は、矩形状の周縁部２Ｂを有しており、この周縁部２Ｂは、筐体部３０における被支持部３４の上方側を覆うように配置される。トッププレート２は、筐体部３０に対して着脱可能とされており、図２のように筐体部３０に組みつけられた状態でビルトインコンロ１の上面部として機能する。
【００１８】
本構成では、トッププレート２において、ガスバーナ５，６の周囲に平坦な上面を有する平坦部２Ａが設けられており、この平坦部２Ａの上面と直交する方向をビルトインコンロ１の上下方向とする。また、上下方向と直交する方向のうち、図２のように平面視したときのビルトインコンロ１の長手方向がビルトインコンロ１の前後方向であり、これら上下方向及び前後方向と直交する方向がビルトインコンロ１の左右方向（幅方向）である。
【００１９】
図１、図２のように、トッププレート２の後ろ側の開口部の内側にはガスバーナ５が設けられ、前側の開口部の内側にはガスバーナ６が設けられている。それぞれの開口部の上側には五徳１１，１２が設けられている。五徳１１，１２は、それぞれの上面に調理鍋（図示略）等の調理容器を載置し得る構成となっている。ガスバーナ５，６は、燃焼ガスを燃焼させて五徳１１，１２に載置された調理容器を加熱するように機能する。なお、本構成では、五徳１１，１２上に平坦な板材を配置したときのその板面と直交する方向がビルトインコンロ１の上下方向となっている。ガスバーナ５の中心にはセンサ部１５が設けられ、ガスバーナ６の中心にはセンサ部１６が設けられている。
【００２０】
（操作つまみ）
図１のように、ビルトインコンロ１の上面側において、トッププレート２の前端寄りの領域には、操作つまみ２１，２２がそれぞれ設けられている。左側の操作つまみ２１は、ガスバーナ５の点火操作や火力調整操作を行うための操作部であり、図３等で示す燃料供給装置１７の操作軸１７Ａを操作するための操作部となっている。右側の操作つまみ２２は、ガスバーナ６の点火操作や火力調整操作を行うための操作部であり、図３等で示す燃料供給装置１８の操作軸１８Ａを操作するための操作部となっている。燃料供給装置１７は、操作軸１７Ａの回転に応じて点火やガスバーナ５の点火や火力調節を行う公知の点火・火力調節装置として構成されており、燃料供給装置１８は、操作軸１８Ａの回転に応じてガスバーナ６の点火や火力調節を行う公知の点火・火力調節装置として構成されている。燃料供給装置１７，１８はいずれも大部分又は全部が筐体部３０内に挿入されている。なお、操作軸１７Ａ，１８Ａは、それぞれの先端部側の一部が筐体部３０外に突出して配置されていてもよく、操作軸１７Ａ，１８Ａの全体が筐体部３０内に収容されていてもよい。
【００２１】
図３〜図５のように、操作つまみ２１は、操作軸１７Ａの先端部に固定されるとともに、一部又は全部が筐体部３０及びトッププレート２によって囲まれた収容空間９９（図４）の外側に配置される。操作つまみ２２は、操作軸１８Ａの先端部に固定されるとともに、一部又は全部が筐体部３０及びトッププレート２によって囲まれた収容空間９９の外側に配置される。なお、以下では、主に操作つまみ２１に着目して詳細を説明する。なお、操作つまみ２２も同様の構成をなしている。
【００２２】
図６、図８のように、操作つまみ２１は、基部８１、つまみ部８２、連結部材８３などを備える。基部８１は、操作軸１７Ａと嵌合する挿入孔８１Ａが形成され、操作軸１７Ａに固定される部材である。つまみ部８２は、基部８１に対して収容空間９９側とは反対側から固定される部材である。連結部材８３は、ねじ、ボルト等によって構成され、基部８１とつまみ部８２とを連結する部材である。
【００２３】
図９（Ａ）、図１０（Ａ）、図１１（Ａ）、図１２（Ａ）、図１３（Ａ）のように、つまみ部８２は、天面部８５、外周壁部８６、筒状部８８，８９などを備え、長手状且つ箱状に構成された部材である。なお、つまみ部８２においては、挿入孔８１Ａの方向（即ち、操作軸１７Ａの方向）を基準方向とし、基準方向と直交する方向のうち、つまみ部８２が延びる方向をつまみ部８２の長手方向及び天面部８５の長手方向とする。基準方向及びつまみ部８２の長手方向と直交する方向をつまみ部８２の幅方向及び天面部８５の幅方向とする。
【００２４】
天面部８５は、操作軸１７Ａの方向と直交する所定方向に沿って長手状且つ板状に構成されるとともに基部８１の表面から離れた位置で基部８１と対向して配置される部位である。外周壁部８６は、天面部８５と一体的に構成され、つまみ部８２の外周壁を構成する部位であり、天面部８５とは反対側が開放した構成をなす。つまり、外周壁部８６は、一端に天面部８５が連結されており、他端側が開放した構成をなし、他端部（天面部８５とは反対側の端部）が開口部として構成されている。外周壁部８６は、天面部８５の幅方向両側にそれぞれ連結されるとともに天面部８５の長手方向に沿って配置され且つ天面部８５から基部８１側に延びた構成をなす一対の把持面部８６Ａ，８６Ｂと、天面部８５の長手方向両側にそれぞれ連結されるとともに一対の把持面部８６Ａ，８６Ｂの長手方向両側をそれぞれ連結する一対の連結壁部８６Ｃ，８６Ｄと、を備える。図１３（Ａ）のように、一対の把持面部８６Ａ，８６Ｂは、板状に構成されるとともにそれぞれの裏側（内部側）の板面（内壁面８７Ａ，８７Ｂ）を対向させた形態で幅方向に向かい合って配置されている。一対の連結壁部８６Ｃ，８６Ｄは、板状に構成されるとともにそれぞれの裏側（内部側）の板面を対向させた形態で幅方向に向かい合って配置されている。
【００２５】
図８、図９（Ａ）のように、筒状部８８，８９は、外周壁部８６内において天面部８５の裏面側から基部８１側に突出した構成をなし、内部に連結部材８３が挿入される部位となっている。
【００２６】
筒状部８８は、つまみ部８２の長手方向においてつまみ部８２の中央よりも連結壁部８６Ｃ側に配置されており、筒状部８８の外周面は、一対の連結壁部８６Ｃ，８６Ｄの内壁面及び一対の把持面部８６Ａ，８６Ｂの内壁面８７Ａ，８７Ｂから離間して配置されている。把持面部８６Ａの内壁面８７Ａと筒状部８８の外周面との間にはこれらを連結する連結壁８４Ａが設けられ、把持面部８６Ｂの内壁面８７Ｂと筒状部８８の外周面との間にはこれらを連結する連結壁８４Ｂが設けられている。上述の基準方向において筒状部８８，８９が突出する方向をつまみ部８２の高さ方向とした場合、天面部８５の裏面からの連結壁８４Ａ，８４Ｂの高さは、筒状部８８，８９の高さよりも小さく、一対の把持面部８６Ａ，８６Ｂの高さよりも小さくなっている。つまり、連結壁８４Ａ，８４Ｂにおける基部８１側の端部は、筒状部８８，８９における基部８１側の端部よりも天面部８５側であり、一対の把持面部８６Ａ，８６Ｂにおける基部８１側の端部よりも天面部８５側でとなっている。このような構成であるため、一対の把持面部８６Ａ，８６Ｂにおける基部８１側の端部付近の各内壁面８７Ａ，８７Ｂと筒状部８８の外周面との間には、隙間が構成されている。
【００２７】
筒状部８９は、つまみ部８２の長手方向においてつまみ部８２の中央よりも連結壁部８６Ｄ側に配置されており、筒状部８９の外周面は、一対の連結壁部８６Ｃ，８６Ｄの内壁面及び一対の把持面部８６Ａ，８６Ｂの内壁面８７Ａ，８７Ｂから離間して配置されている。把持面部８６Ａの内壁面８７Ａと筒状部８９の外周面との間にはこれらを連結する連結壁８４Ｃが設けられ、把持面部８６Ｂの内壁面８７Ｂと筒状部８９の外周面との間にはこれらを連結する連結壁８４Ｄが設けられている。天面部８５の裏面からの連結壁８４Ｃ，８４Ｃの高さは、筒状部８８，８９の高さよりも小さく、一対の把持面部８６Ａ，８６Ｂの高さよりも小さくなっている。つまり、連結壁８４Ｃ，８４Ｄにおける基部８１側の端部は、筒状部８８，８９における基部８１側の端部よりも天面部８５側であり、一対の把持面部８６Ａ，８６Ｂにおける基部８１側の端部よりも天面部８５側でとなっている。このような構成であるため、一対の把持面部８６Ａ，８６Ｂにおける基部８１側の端部付近の各内壁面８７Ａ，８７Ｂと筒状部８９の外周面との間には、隙間が構成されている。
【００２８】
つまみ部８２は、長手方向中央部における一対の把持面部８６Ａ，８６Ｂの幅が、長手方向両端部における一対の把持面部８６Ａ，８６Ｂの幅よりも小さくなる括れ形状である。具体的には、つまみ部８２の長手方向一端部側から長手方向中央部側に近づくにつれて一対の把持面部８６Ａ，８６Ｂの幅が次第に小さくなる形状となっており、つまみ部８２の長手方向他端側から長手方向中央部側に近づくにつれて一対の把持面部８６Ａ，８６Ｂの幅が次第に小さくなる形状となっている。つまみ部８２の長手方向中央部付近には、天面部８５の裏面側から基部８１側に向かって突出する規制突起８４Ｅが形成されている。規制突起８４Ｅは、挿入孔８１Ａに挿入される操作軸１７Ａの先端と対向する突起であり、操作軸１７Ａの挿入孔８１Ａへの挿入長さが一定長さとなったときに操作軸１７Ａの先端と当接し、それ以上の挿入を規制する。
【００２９】
図９（Ｂ）、図１０（Ｂ）、図１１（Ｂ）、図１２（Ｂ）、図１３（Ｂ）のように、基部８１は、板状部７１と、盛り上がり部７０と、突出部７２と備える。基部８１は、突出部７２の基端側において板状部７１がフランジ状に張り出しており、板状部７１の第１板面７１Ａ側において盛り上がり部７０が盛り上がった突出構成をなしている。突出部７２は、中心に挿入孔８１Ａが形成された筒状（中空状）の構成をなす。挿入孔８１Ａは、平面視矩形状の孔として構成され、上述の基準方向において基部８１を貫通して形成されている。
【００３０】
板状部７１は、円板状に構成され、板厚方向一方側の第１板面７１Ａが露出した構成をなし、板厚方向他方側の第２板面７１Ｂが収容空間９９（図４）側に配置される部位である。盛り上がり部７０は、板状部７１と一体的に構成されるとともに第１板面７１Ａから盛り上がった構成をなし、天面部８５と対向しつつ天面部８５の長手方向に沿って長手状に配置される部位である。突出部７２は、板状部７１と一体的に構成され、第２板面７１Ｂ側から突出した構成をなす部位である。挿入孔８１Ａは、突出部７２と盛り上がり部７０とに跨って形成されている。
【００３１】
図９（Ｂ）、図１０（Ｂ）、図１１（Ｂ）、図１２（Ｂ）のように、盛り上がり部７０は、板状部７１の第１板面７１Ａから湾曲しつつ立ち上がるように一対の立ち上がり部７０Ａ，７０Ｂが形成され、一対の立ち上がり部７０Ａ，７０Ｂのそれぞれの端部に当接面部９０が設けられている。当接面部９０は、外周壁部８６の端部８６Ｅ（開口部）が当接する部位である。なお、図１０（Ｂ）では、つまみ部８２が組み付けられたときに外周壁部８６の端部８６Ｅが配置される位置を二点鎖線で概念的に示している。
【００３２】
嵌合凸部９２，９３，９４，９５は、当接面部９０から突出する部位である。本構成では、操作軸１７Ａの方向（上述の基準方向）と直交する平面方向において当接面部９０の外縁よりも内側の領域に嵌合凸部９２，９３，９４，９５が設けられており、図１１（Ｂ）、図１２（Ｂ）のように、これら嵌合凸部９２，９３，９４，９５は、当接面部９０の表面よりも突出している。なお、図１２（Ｂ）では、つまみ部８２が組み付けられたときに外周壁部８６の端部８６Ｅ付近が配置される位置を二点鎖線にて概念的に示している。つまみ部８２が基部８１に組み付けられた状態では、嵌合凸部９２，９３，９４，９５がつまみ部８２における外周壁部８６と筒状部８８，８９との間の領域に嵌り込むようになっている。図１３（Ａ）の例では、外周壁部８６の内壁面よりも内側の領域であって且つ筒状部８８，８９の外側の領域が「つまみ部８２における外周壁部８６と筒状部８８，８９との間の領域」の一例に相当し、この領域に嵌合凸部９２，９３，９４，９５が嵌り込むようになっている。
【００３３】
凹状部９７，９８は、上記平面方向において当接面部９０の内側の領域で凹状に形成され、筒状部８８，８９の先端部が嵌り込む構成をなす。凹状部９７，９８の底部９７Ａ，９８Ａには、連結部材８３が挿入される孔部９７Ｂ，９８Ｂが形成されている。
【００３４】
図７のように、基部８１は、上記平面方向において当接面部９０の内側の領域で挿入孔８１Ａが形成されている。更に、凹状部９７，９８の底部９７Ａ，９８Ａと筒状部８８，８９とが連結部材８３によって連結される構成をなしている。
【００３５】
図８、図９のように、嵌合凸部９２，９３，９４，９５は、基部８１につまみ部８２が固定された固定状態において、一対の把持面部８６Ａ，８６Ｂのそれぞれの内壁面８７Ａ，８７Ｂと対向し且つそれぞれの内壁面８７Ａ，８７Ｂに沿って配置される一対の対向壁部９２Ａ，９２Ｂ，９３Ａ，９３Ｂ，９４Ａ，９４Ｂ，９５Ａ，９５Ｂを含んでいる。図１０（Ｂ）のように、基部８１につまみ部８２が固定された固定状態では、二点鎖線で示される端部８６Ｅの内縁よりも内側の領域であって且つ筒状部８８，８９の外側の領域に嵌合凸部９２，９３，９４，９５が配置される。そして、対向壁部９２Ａ，９２Ｂは、つまみ部８２の長手方向における筒状部８８の中心よりも連結壁部８６Ｃ側において、一対の把持面部８６Ａ，８６Ｂのそれぞれに沿うように配置されている。対向壁部９３Ａ，９３Ｂは、対向壁部９２Ａ，９２Ｂから間隔をあけて配置され、つまみ部８２の長手方向において筒状部８８の中心より挿入孔８１Ａ側且つ挿入孔８１Ａの中心よりも筒状部８８側において、一対の把持面部８６Ａ，８６Ｂのそれぞれに沿うように配置されている。対向壁部９５Ａ，９５Ｂは、つまみ部８２の長手方向における筒状部８９の中心よりも連結壁部８６Ｄ側において、一対の把持面部８６Ａ，８６Ｂのそれぞれに沿うように配置されている。対向壁部９４Ａ，９４Ｂは、対向壁部９３Ａ，９３Ｂから間隔をあけて配置され且つ対向壁部９５Ａ，９５Ｂから間隔をあけて配置され、つまみ部８２の長手方向において筒状部８９の中心より挿入孔８１Ａ側且つ挿入孔８１Ａの中心よりも筒状部８９側において、一対の把持面部８６Ａ，８６Ｂのそれぞれに沿うように配置されている。そして、対向壁部９２Ａ，９２Ｂ，９３Ａ，９３Ｂ，９４Ａ，９４Ｂ，９５Ａ，９５Ｂの一部が筒状部８８，８９と把持面部８６Ａ，８６Ｂとの間に配置される構成をなす。具体的には、対向壁部９２Ａ，９２Ｂ及び対向壁部９３Ａ，９３Ｂ，のそれぞれの一部が筒状部８８と把持面部８６Ａ，８６Ｂとの間に配置され。そして、対向壁部９４Ａ，９４Ｂ及び対向壁部９５Ａ，９５Ｂ，のそれぞれの一部が筒状部８９と把持面部８６Ａ，８６Ｂとの間に配置される。
【００３６】
図６、図７のように基部８１につまみ部８２が固定された固定状態では、図６（Ｂ）のように、当接面部９０に当接する一対の把持面部８６Ａ，８６Ｂの各表面と、一対の立ち上がり部７０Ｂ，７０Ａの各表面とが、面一となるように連続している。具体的には、把持面部８６Ｂの表面と立ち上がり部７０Ａの表面とが段差の無い連続した面となるように表面形状が合わせられており、把持面部８６Ａの表面と立ち上がり部７０Ｂの表面とが段差の無い連続した面となるように表面形状が合わせられている。
【００３７】
図９、図１０のように、嵌合凸部９３は、筒状部８８の周囲において盛り上がり部７０の幅方向に延びる連結凸部９３Ｃを有している。そして、一対の対向壁部９３Ａ，９３Ｂは、連結凸部９３Ｃの両端にそれぞれ連結される一対の対向凸部として構成されている。そして、各々の対向凸部（対向壁部９３Ａ，９３Ｂ）は、盛り上がり部７０の長手方向において連結凸部９３Ｃの一方側及び他方側にそれぞれ延びた状態で、一対の把持面部８６Ａ，８６Ｂのそれぞれの内壁面８７Ａ，８７Ｂと対向し且つそれぞれの内壁面８７Ａ，８７Ｂに沿って配置される構成となっている。同様に、嵌合凸部９４は、筒状部８９の周囲において盛り上がり部７０の幅方向に延びる連結凸部９４Ｃを有している。そして、一対の対向壁部９４Ａ，９４Ｂは、連結凸部９４Ｃの両端にそれぞれ連結される一対の対向凸部として構成されている。そして、各々の対向凸部（対向壁部９４Ａ，９４Ｂ）は、盛り上がり部７０の長手方向において連結凸部９４Ｃの一方側及び他方側にそれぞれ延びた状態で、一対の把持面部８６Ａ，８６Ｂのそれぞれの内壁面８７Ａ，８７Ｂと対向し且つそれぞれの内壁面８７Ａ，８７Ｂに沿って配置される構成となっている。
【００３８】
次に、本構成の効果を例示する。
上述したビルトインコンロ１のように、操作軸１７Ａを回転操作し得る操作つまみ２１が、別体として構成されるつまみ部８２及び基部８１を備えていれば、つまみ部８２と基部８１とを別々に製造すべき要請に対応することができる。
【００３９】
更に、ビルトインコンロ１では、基部８１につまみ部８２が固定された固定状態において、基部８１に形成された嵌合凸部９２，９３，９４，９５がつまみ部８２に形成された外周壁部８６及び筒状部８８，８９の間の領域に嵌り込む構成をなし、この嵌合凸部９２，９３，９４，９５に形成された一対の対向壁部９２Ａ，９２Ｂ，９３Ａ，９３Ｂ，９４Ａ，９４Ｂ，９５Ａ，９５Ｂが、つまみ部８２の一対の把持面部８６Ａ，８６Ｂのそれぞれの内壁面８７Ａ，８７Ｂと対向し且つそれぞれの内壁面８７Ａ，８７Ｂに沿って配置される構成をなす。このような構成であるため、使用者のつまみ操作によってつまみ部８２の一対の把持面部８６Ａ，８６Ｂが内側に押されたとしても、一対の把持面部８６Ａ，８６Ｂの内側への変位を一対の対向壁部９２Ａ，９２Ｂ，９３Ａ，９３Ｂ，９４Ａ，９４Ｂ，９５Ａ，９５Ｂによって規制することができる。よって、つまみ部８２の撓みに起因する劣化や破損等を抑えることができ、簡易な構成でつまみ部８２の強度を効果的に高めることができる。しかも、嵌合凸部９２，９３，９４，９５を外周壁部８６の内側に嵌り込ませた形で強度が高められるため、つまみ部８２と基部８１の境界が目立つことを抑え、美観を保持し得る補強構造となる。
【００４０】
また、操作つまみ２１では、基部８１につまみ部８２が固定された固定状態において、対向壁部９２Ａ，９２Ｂ，９３Ａ，９３Ｂ，９４Ａ，９４Ｂ，９５Ａ，９５Ｂの一部が筒状部８８，８９と把持面部８６Ａ，８６Ｂとの間に配置されている。このように、筒状部８８，８９と把持面部８６Ａ，８６Ｂとの間にまで対向壁部９２Ａ，９２Ｂ，９３Ａ，９３Ｂ，９４Ａ，９４Ｂ，９５Ａ，９５Ｂが入り込んでいれば、つまみ部８２の撓み（特に、一対の把持面部８６Ａ，８６Ｂの内側への撓み）をより一層抑えることができ、つまみ部８２の強度をより一層高めることができる。
【００４１】
図９（Ａ）、図１０（Ａ）、図１３（Ａ）のように、つまみ部８２は、当該つまみ部８２の長手方向中央部における一対の把持面部８６Ａ，８６Ｂの幅が、長手方向両端部における一対の把持面部８６Ａ，８６Ｂの幅よりも小さくなる括れ形状となっている。このように構成されていれば、使用者が長手方向中央部を指でつまみやすくなり、操作つまみ２１の回転操作を行いやすくなる。但し、このように使用者が特定の位置をつまみやすい構成であると、使用者による押圧が集中しやすくなるため、把持面部８６Ａ，８６Ｂの撓み変形や劣化等がより一層懸念されるが、上述した構成によってつまみ部８２の強度が高められていれば、押圧集中に起因する破損や劣化を確実に抑えることができる。よって、使用者の使いやすさと、強度向上とを両立することができる。
【００４２】
図９（Ｂ）、図１０（Ｂ）、図１１（Ｂ）、図１２（Ｂ）のように、基部８１の盛り上がり部７０は、板状部７１の第１板面７１Ａから湾曲しつつ立ち上がるように一対の立ち上がり部７０Ａ，７０Ｂが形成されており、一対の立ち上がり部７０Ａ，７０Ｂのそれぞれの端部（盛り上がり部７０の突出側の端部）に当接面部９０が設けられている。そして、基部８１につまみ部８２が固定された固定状態において、一対の把持面部８６Ａ，８６Ｂの各表面（各々の露出側の板面）と、一対の立ち上がり部７０Ａ，７０Ｂの各表面とが、面一となるように連続している。このように構成されていれば、つまみ部８２と基部８１とが別体として構成されていても、つまみ部８２と基部８１の境界付近のデザインが一体感のあるデザインとなる。よって、つまみ部８２と基部８１とを別々に製造すべき要請に応えつつ、更に美観の向上を図ることができる。
【００４３】
図９、図１０のように、嵌合凸部９３は、筒状部８８の周囲において盛り上がり部７０の幅方向に延びる連結凸部９３Ｃを有している。そして、一対の対向壁部９３Ａ，９３Ｂは、連結凸部９３Ｃの両端にそれぞれ連結される一対の対向凸部として構成されている。そして、各々の対向凸部（対向壁部９３Ａ，９３Ｂ）は、盛り上がり部７０の長手方向において連結凸部９３Ｃの一方側及び他方側にそれぞれ延びた状態で、一対の把持面部８６Ａ，８６Ｂのそれぞれの内壁面８７Ａ，８７Ｂと対向し且つそれぞれの内壁面８７Ａ，８７Ｂに沿って配置される構成となっている。このようにすれば、連結凸部９３Ｃの両側において盛り上がり部７０の長手方向に延びるように対向凸部（対向壁部９３Ａ，９３Ｂ）を長く配置することができ、より広い範囲にわたって把持面部８６Ａ，８６Ｂの内側への変形を規制可能となる。しかも、一対の対向凸部（対向壁部９３Ａ，９３Ｂ）の間に連結凸部９３Ｃが連結されるため、対向凸部（対向壁部９３Ａ，９３Ｂ）の内側への変形についても強固に規制することができる。よって、把持面部８６Ａ，８６Ｂが内側へ強く押されても、把持面部８６Ａ，８６Ｂの内側への変形をより確実に抑えることができる。なお、嵌合凸部９４も同様の構成を有するため、挿入孔８１Ａを挟んだ長手方向両側でこのような効果を生じさせることができる。
【００４４】
＜他の実施例＞
本発明は上記記述及び図面によって説明した実施例に限定されるものではなく、例えば次のような例も本発明の技術的範囲に含まれる。また、上述した実施例の特徴や後述する実施例の特徴は矛盾しない範囲で様々に組み合わせることが可能である。
【００４５】
上述した実施例では、ガスコンロの例としてビルトインコンロを例示したが、ビルトイン方式ではない他の方式（例えば、テーブルコンロ）に適用してもよい。
【００４６】
上述した実施例では、つまみ部８２の表面にメッキ処理が施され、基部８１の表面にメッキ処理が施されていない例を示したが、この例に限定されず、つまみ部８２の表面にメッキ処理が施されておらず、基部８１の表面にメッキ処理が施されていてもよい。或いは、基部８１の表面とつまみ部８２の表面とが異なる色によって構成されていてもよく、基部８１の表面とつまみ部８２の表面とが別々の材料によって構成されていてもよい。
【符号の説明】
【００４７】
１…ビルトインコンロ（ガスコンロ）
２…トッププレート
５，６…ガスバーナ
１７，１８…燃料供給装置
１７Ａ，１８Ａ…操作軸
２１，２２…操作つまみ
３０…筐体部
７０…盛り上がり部
７０Ａ，７０Ｂ…立ち上がり部
７１…板状部
７２…突出部
８１…基部
８１Ａ…挿入孔
８２…つまみ部
８３…連結部材
８５…天面部
８６…外周壁部
８６Ａ，８６Ｂ…把持面部
８６Ｃ，８６Ｄ…連結壁部
８７Ａ，８７Ｂ…内壁面
８８，８９…筒状部
９０…当接面部
９２，９３，９４，９５…嵌合凸部
９２Ａ，９２Ｂ，９５Ａ，９５Ｂ…対向壁部
９３Ａ，９３Ｂ，９４Ａ，９４Ｂ…対向壁部（対向凸部）
９３Ｃ，９４Ｃ…連結凸部
９７，９８…凹状部
９７Ａ，９８Ａ…底部
【図１】
2019152397.tif 000003
【図２】
2019152397.tif 000004
【図３】
2019152397.tif 000005
【図４】
2019152397.tif 000006
【図５】
2019152397.tif 000007
【図６】
2019152397.tif 000008
【図７】
2019152397.tif 000009
【図８】
2019152397.tif 000010
【図９】
2019152397.tif 000011
【図１０】
2019152397.tif 000012
【図１１】
2019152397.tif 000013
【図１２】
2019152397.tif 000014
【図１３】
2019152397.tif 000015